(57)【要約】      （修正有）【課題】枠体背面に取り付けられる室温検出手段の固定方法を改良して、生産性やメンテナンス性に優れた構造の暖房機を実現する。【解決手段】枠体１の背面に形成した空気吸込口２と枠体１の前面に形成した温風吹出口３とを連通する空気流路４を備え、空気吸込口２と対向する空気流路４内に送風ファン５を取り付け、送風ファン５の背部の空気吸込口２にフィルタ部材６を装着する。フィルタ部材６には室温を検出する室温検出手段９が取り付けられる係合部６ａを設けると共に、係合部６ａと空気吸込口２の周縁部との間には間隔を形成し、室温検出手段９を係合部６ａに装着した状態でフィルタ部材６を空気吸込口２に取り付けると、室温検出手段９のリード線９ａが枠体１の背面とフィルタ部材６の裏面とによって挟持されてから、枠体１内に配線されるものである。【選択図】図１
2012032095.tif 000002
【特許請求の範囲】
【請求項１】
枠体（１）の背面に形成した空気吸込口（２）と、前記枠体（１）の前面に形成した温風吹出口（３）と、前記空気吸込口２と前記温風吹出口（３）とを連通する空気流路（４）とを備え、前記空気吸込口（２）と対向する前記空気流路（４）内に送風ファン（５）を取り付け、該送風ファン（５）の背部の前記空気吸込口（２）にフィルタ部材（６）を装着すると共に、
前記枠体（１）内にはバーナ（７）と、該バーナ（７）に接続する燃焼室（８）とを備え、該燃焼室（８）を前記空気流路（４）内に配置して、前記送風ファン（５）で吹き込まれた室内空気の温度を高め、前記温風吹出口（２）から室内に吹き出す温風暖房機において、
前記フィルタ部材（６）には室温を検出する室温検出手段（９）が取り付けられる係合部（６ａ）を設けると共に、該係合部（６ａ）と前記空気吸込口（２）の周縁部（２ａ）との間には間隔（１０）を形成し、
前記フィルタ部材（６）は、前記室温検出手段（９）が前記係合部（６ａ）に装着された状態で前記空気吸込口（２）に取り付けており、
前記室温検出手段（９）のリード線（９ａ）は前記枠体（１）の背面と前記フィルタ部材（６）の裏面とによって挟持されてから、前記枠体（１）内に配線されていることを特徴とする温風暖房機の室温検出手段の固定方法。
【請求項２】
前記係合部（６ａ）はフィルタ部材（６）の裏面と直交するように形成した筒体で構成し、前記係合部（６ａ）に装着された前記室温検出手段（９）のリード線（９ａ）は９０度曲げされた状態で前記枠体（１）の背面と前記フィルタ部材（６）の裏面とによって挟持されることを特徴とする請求項１記載の温風暖房機の室温検出手段の固定方法。
【請求項３】
前記フィルタ部材（６）の裏面に開口する前記係合部（６ａ）の周囲に凹部（６ｂ）を形成し、該凹部（６ｂ）にはフィルタ部材（６）の裏面よりも一段低く形成した複数の突起（６ｃ）を設け、
前記室温検出手段（９）のリード線（９ａ）が前記凹部内で前記突起（６ｃ）と前記枠体（１）の背面とによって挟持されてから、前記枠体（１）内に配線されることを特徴とする請求項１または２に記載の温風暖房機の室温検出手段の固定方法。
【請求項４】
前記空気吸込口（２）の周縁部（２ａ）には、前記フィルタ部材（６）の突起（６ｃ）を挟んで係合部（６ａ）とは反対側に位置する係止孔（２ｂ）を形成し、前記フィルタ部材（６）は、前記室温検出手段（９）のリード線（９ａ）が前記フィルタ部材（６）の係合部（６ａ）と前記空気吸込口（２）の係止孔（２ｂ）とに装着された状態で、前記空気吸込口（２）に取り付けることを特徴とする請求項３記載の温風暖房機の室温検出手段の固定方法。
【請求項５】
前記フィルタ部材（６）は前記係合部（６ａ）と開口周縁部（６ｄ）との間に透孔（６ｅ）を形成し、該透孔（６ｅ）は前記空気吸込口（２）の係止孔（２ｂ）の一部と対向することを特徴とする請求項１から４に記載の温風暖房機の室温検出手段の固定方法。
【発明の詳細な説明】
【技術分野】
【０００１】
この発明は温風暖房機の背面に取り付けられる室温検出手段の固定方法に関するものである。
【背景技術】
【０００２】
温風暖房機の枠体の前面に設けた温風吹出口と背面に設けた空気吸込口との間の枠体内には空気流路が設けてあり、空気吸込口付近の空気流路には室内空気を吹き込む送風ファンが取り付けられている。そして、枠体内に設置したバーナに接続する燃焼室が空気流路内に配置されており、送風ファンによって空気流路に吹き込まれた室内空気は燃焼室や燃焼室から放出される燃焼ガスの熱と熱交換して高温になり、温風吹出口から温風となって室内に吹き出して暖房するものである。
【０００３】
温風暖房機にはバーナの燃焼量制御手段と、期待する室内温度を設定する温度設定手段と、枠体背面の空気吸込口付近に室温検出手段を備えており、燃焼制御手段は室温検出手段で検出された室温が、温度設定手段で設定された設定温度に維持されるようにバーナの燃焼量を制御している。
【先行技術文献】
【特許文献】
【０００４】
【特許文献１】特開２００９−１３３５４８号  公報
【発明の概要】
【発明が解決しようとする課題】
【０００５】
室温検出手段は、先端の検知部が枠体背面に設けた固定部材によって所定の位置に固定され、検知部からのびるリード線が枠体背面に設けた孔を貫通して枠体内に配線され、枠体内の制御基板に接続している。このため、室温検出手段と固定部材の取り付けやリード線を孔に挿通して行う配線作業は、細かい作業が必要で作業工程数も多くなる。また、メンテナンス時に室温検出手段を取り外すときにも、室温検出手段と固定部材の着脱作業や配線作業を必要とするため、生産性やメンテナンス性が良くないものであった。
【０００６】
また、従来の構成では、室温検出手段の先端の検知部が引っ張られたときには、固定部材によって固定されているから、室温検出手段が外れたりリード線が断線したりすることを防ぐことができる。しかしながら、固定部材から孔を貫通して枠体内にのびるリード線は固定されていないため、リード線を引っ張ることができてしまうものであり、枠体外に露出しているリード線が直接引っ張られたときには断線の恐れがあり、リード線が引っ張られないための工夫が必要であり、生産性やメンテナンス性が良くないこともあって、必ずしも好ましい固定方法ではなかった。
【課題を解決するための手段】
【０００７】
この発明は上記の課題を解決するもので、枠体１の前面に形成した空気吸込口２と、前記枠体１の背面に形成した温風吹出口３と、前記空気吸込口２と前記温風吹出口３とを連通する空気流路４とを備え、前記空気吸込口２と対向する前記空気流路４内に送風ファン５を取り付け、該送風ファン５の背部の前記空気吸込口２にフィルタ部材６を装着すると共に、前記枠体１内にはバーナ７と、該バーナ７に接続する燃焼室８とを備え、該燃焼室８を前記空気流路４内に配置して、前記送風ファン５で吹き込まれた室内空気の温度を高め、前記温風吹出口２から室内に吹き出す温風暖房機において、前記フィルタ部材６には室温を検出する室温検出手段９が取り付けられる係合部６ａを設けると共に、該係合部６ａと前記空気吸込口２の周縁部２ａとの間には間隔１０を形成し、前記フィルタ部材６は、前記室温検出手段９が前記係合部６ａに装着された状態で前記空気吸込口２に取り付けており、前記室温検出手段９のリード線９ａは前記枠体１の背面と前記フィルタ部材６の裏面とによって挟持されてから、前記枠体１内に配線されていることを特徴とする温風暖房機の室温検出手段の固定方法である。
【０００８】
また、前記係合部６ａはフィルタ部材６の裏面と直交するように形成した筒体で構成し、前記係合部６ａに装着された前記室温検出手段９のリード線９ａは９０度曲げされた状態で前記枠体１の背面と前記フィルタ部材６の裏面とによって挟持されることにより、室温検出手段９のリード線９ａを枠体１外に露出させることなく固定できる。
【０００９】
また、前記フィルタ部材６の裏面には前記係合部６ａの開口の周囲に凹部６ｂを形成し、該凹部６ｂにはフィルタ部材６の裏面よりも一段低く形成した複数の突起６ｃを設け、前記室温検出手段９のリード線９ａが前記凹部内で前記突起６ｃと前記枠体１の背面とによって挟持されてから、前記枠体１内に配線されることにより、リード線９ａがスムーズに曲げられて、リード線９ａを断線させることなく固定できる。
【００１０】
また、前記空気吸込口２の周縁部２ａには、前記フィルタ部材６の突起６ｃを挟んで係合部６ａとは反対側に位置する係止孔２ｂを形成し、前記フィルタ部材６は、前記室温検出手段９のリード線９ａが前記フィルタ部材６の係合部６ａと前記空気吸込口２の係止孔２ｂとに装着された状態で、前記空気吸込口２に取り付けることにより、室温検出手段９のリード線９ａが凹部６ｂ内に収まるものとなり、確実に突起６ｃと枠体１の背面とで挟持できるものとなる。
【００１１】
また、前記フィルタ部材６は前記係合部６ａと開口周縁部６ｄとの間に透孔６ｅを形成し、該透孔６ｅは前記空気吸込口２の係止孔２ｂの一部と対向することにより、透孔６ｅからリード線９ａの取り付け状態を確認することができる。
【発明の効果】
【００１２】
この発明は、枠体１の背面の空気吸込口２に装着するフィルタ部材６に室温検出手段９の係合部６ａを設け、係合部６ａと空気吸込口２の周縁部２ａとの間に間隔１０を形成したので、室温検出手段９を係合部６ａに装着した状態でフィルタ部材６を枠体１背面の空気吸込口２に取り付けると、室温検出手段９のリード線９ａは枠体１の背面とフィルタ部材６の裏面とで挟持されてから、枠体１内に配線されるものとなった。このため、フィルタ部材６の取り付けによって室温検出手段９が固定できると共に、リード線９ａの枠体１内への配線作業が容易にできるものとなり、組立工程や着脱作業時の作業効率が向上し、生産性やメンテナンス性に優れた室温検出手段の固定方法が実現できた。
【００１３】
また、枠体１の背面には室温検出手段９の先端の検知部だけが露出し、室温検出手段９からのびるリード線９ａは枠体１の背面とフィルタ部材６の裏面との間に位置して枠体１外に露出しないから、リード線９ａを引っ張ることができない構造にすることができたものであり、室温検出手段９が外れたりリード線９ａが断線したりすることはなく、室温検出手段９を確実に保護できるものとなった。
【００１４】
また、フィルタ部材６の係合部６ａをフィルタ部材６の裏面と直交する筒体で構成することで、室温検出手段９を係合部６ａに装着した状態でフィルタ部材６を枠体１背面の空気吸込口２に取り付けると、リード線９ａは係合部６ａの内側で９０度曲げされた状態で枠体１の背面とフィルタ部材６の裏面とによって挟持されて、リード線９ａがクランク状に固定されるものとなる。このため、枠体１外に露出する室温検出手段９の先端部が引っ張られてもリード線９ａが動くことはなく、室温検出手段９が確実に固定されて保護できるものとなった。
【００１５】
また、フィルタ部材６の裏面の係合部６ａの周囲に凹部６ｂを形成し、凹部６ｂ内にはフィルタ部材６の裏面よりも一段低い複数の突起６ｃを設けている。係合部６ａに係合した室温検出手段９のリード線９ａは凹部６ｂ内で９０度曲げされ、突起６ｃと枠体１の背面とで挟持される。このようにすると、フィルタ部材６を枠体１背面に取り付けたときに凹部６ｂによって枠体１背面との間に空間ができるから、リード線９ａの急な折れ曲がりを防いでゆるやかな曲げ部分が形成される。また、突起６ｃと枠体１の背面とが完全に密着されず、リード線９ａが最適な力で挟着されるので、リード線９ａの断線を防ぎながら確実に固定することができるものとなった。
【００１６】
また、空気吸込口２の周縁部２ａにはフィルタ部材６の突起６ｃを挟んで係合部６ａとは反対側に係止孔２ｂを形成しており、室温検出手段９のリード線９ａをフィルタ部材６の係合部６ａと空気吸込口２の係止孔２ｂに装着した状態でフィルタ部材６を枠体１の背面に取り付ける構成としたから、９０度曲げされたリード線９ａは係合部６ａと係止孔２ｂとの間に位置して、必ず凹部６ｂ内に収まるものとなる。このため、リード線９ａを確実に突起６ｃで挟持することができ、リード線９ａの曲げ方向や断線を気にすることなく容易にフィルタ部材６の取り付けができるものとなり、組み立て時の作業効率が向上できるものとなった。
【００１７】
また、フィルタ部材６の係合部６ａと開口周縁部６ｄとの間に透孔６ｅを形成し、フィルタ部材６を枠体１の背面に取り付けたときに、空気吸込口２の係止孔２ｂの一部が透孔６ｅ内に位置して、フィルタ部材６の透孔６ｅから空気吸込口２の係止孔２ｂを見ることができるようにしたから、室温検出手段９のリード線９ａの取り付け状態を目視で確認できるものとなり、室温検出手段９を正確かつ容易に取り付けることができるものとなった。
【図面の簡単な説明】
【００１８】
【図１】この発明の実施例を示す温風暖房機の要部の断面図である。
【図２】この発明の実施例を示す温風暖房機の縦断面図である。
【図３】この発明の実施例を示す温風暖房機の要部の背面図である。
【図４】フィルタ部材を温風暖房機の枠体背面に取り付けるときの状態を説明する要部断面図である。
【発明を実施するための形態】
【００１９】
図に示す石油燃料を用いる暖房機の実施例によってこの発明を説明すると、１は暖房機の枠体、７は枠体１内に配置したバーナ、８はバーナ７の上部に配置した燃焼室であり、バーナ７で発生する燃焼炎と燃焼ガスとが燃焼室８に送られる。
【００２０】
２は枠体１の背面に設けた空気吸込口、３は枠体１の前面に設けた温風吹出口、４は枠体１内に形成した空気吸込口２と温風吹出口３とを連通する空気流路、５は空気流路４内の入口側となる空気吸込口２と対向する位置に取り付けた送風ファンであり、バーナ７の上部や燃焼室８は空気流路４内に配置されている。６は枠体１背面の空気吸込口２に取り付けるフィルタ部材であり、枠体１内への埃や異物の侵入を防止する役割がある。
【００２１】
１１はバーナ７に燃焼空気を供給する燃焼ファン、１２は枠体１背面に設けた燃焼用空気取入口、７ａはバーナ７へ燃焼空気を供給するための給気口であり、燃焼ファン１１が回転すると燃焼空気取入口１２から取り込んだ空気が給気口７ａからバーナ７に供給される。
【００２２】
１３はバーナ７を燃焼可能温度に上昇させる点火兼用の予熱ヒータ、１４はバーナ７に燃料を供給する燃料ポンプであり、暖房機の運転を開始すると予熱ヒータ１３に通電してバーナ７を燃焼可能温度に上昇させ、次に燃焼ファン１１や燃料ポンプ１４を駆動し、燃料はバーナ７内で着火して燃焼を開始し、燃焼室８で完全燃焼するようになっている。
【００２３】
燃焼室８の上部は空気流路４内に開口しており、燃焼ガスは空気流路４に送られており、送風ファン５が運転すると室内空気が空気吸込口２から空気流路４内に吹き込まれ、空気流路４内で燃焼室８から送られる高温の燃焼ガスと混合し、温風吹出口３から温風となって吹出す。
【００２４】
１５は枠体１内に備えた暖房機の運転を制御する制御基板、９は枠体１の背面の空気吸込口２付近に配置したサーミスタで構成する室温検出手段、９ａは室温検出手段９の先端の検知部からのびるリード線であり、リード線９ａは枠体１内の制御基板１５に接続している。１６は枠体１の操作盤に設けられて使用者が所望する温度に設定する温度設定手段であり、温度設定手段１６で設定された温度データと、室温検出手段９で検出された現在の室内の温度データとを制御基板１５で比較し、設定温度が室内温度よりも高いときは燃料ポンプ１４の流量及び燃焼ファン１１の回転数を増加してバーナ７の燃焼量を増加させ、室内温度が設定温度よりも高いときは燃料ポンプ１４の流量及び燃焼ファン１１の回転数を減少してバーナ７の燃焼量を減少させており、室内温度が設定温度に近づけるように制御を行う。
【００２５】
本願発明は枠体１背面に取り付けられる室温検出手段９の固定方法を改良して、生産性やメンテナンス性に優れた構造の暖房機を実現するものであり、６ａは枠体１の背面に取り付けたフィルタ部材６に形成した係合部であり、係合部６ａはフィルタ部材６の下端に配置され、フィルタ部材６の裏面と直交するように形成した筒体で構成している。係合部６ａを構成する筒体の下部にスリットを設けて断面がＵ字状あるいはコ字状となるようにして下部が開放した形状としており、開放された筒体の下端には抜け止め用の突片が形成されている。そして、室温検出手段９の先端の検知部が筒状の係合部６ａの先端から突出するようにして、リード線９ａを係合部６ａの下部のスリットから差し込むと、リード線９ａは抜け止め用の突片で保持されて筒状の係合部６ａの内側に装着される。
【００２６】
１０はフィルタ部材６を枠体１の背面に取り付けたときにフィルタ部材６の係合部６ａと空気吸込口２の周縁部２ａとの間に形成される間隔であり、フィルタ部材６の裏面に開口する係合部６ａは枠体１の背面と対向するようになっている。
この構成では、フィルタ部材６の係合部６ａに室温検出手段９を装着した状態で、フィルタ部材６を枠体１背面の空気吸込口２に取り付けると、係合部６ａからフィルタ部材６の裏面に突出するリード線９ａは枠体１の背面で９０度曲げされ、枠体１の背面とフィルタ部材６の裏面とで挟持されてから枠体１内にのびており、枠体１内の制御基板１６に接続している。
【００２７】
この構成では、室温検出手段９の先端の検知部だけが枠体１外に露出し、リード線９ａは枠体１内に位置しているから、従来のようにリード線９ａが引っ張られることがなくなった。室温検出手段９のリード線９ａがクランク状に固定されるので、先端の検知部が引っ張られたときに、リード線９ａが移動することなく確実に保持することができ、室温検出手段９の脱落やリード線９ａの断線を防ぐことができるものとなった。
【００２８】
６ｂはフィルタ部材６の裏面に設けた段差によって形成した凹部であり、凹部６ｂはフィルタ部材６の裏面に開口する係合部６ａの周辺を囲むように形成されている。６ｃは凹部６ｂ内に形成した複数の突起であり、突起６ｃはフィルタ部材６の裏面よりも一段低く形成している。
【００２９】
フィルタ部材６を枠体１の背面に取り付けたときに、フィルタ部材６の裏面と枠体１の背面とが密着するが、凹部６ｃによって係合部６ａと枠体１背面との間に空間が形成され、室温検出手段９のリード線９ａは凹部６ｂ内で９０度曲げされるので、無理に曲げられることがなくなり、曲げ部分での断線の恐れがない。
【００３０】
また、９０度曲げされたリード線９ａはフィルタ部材６の突起６ｃと枠体１の裏面との間で挟持されるが、フィルタ部材６の裏面が枠体１の背面に強く密着するときでも突起６ｃは枠体１の背面と密着することなく、リード線９ａを最適な力で挟持できるから、リード線９ａの断線を防止しながらリード線９ａを確実に固定することができる。このため、ネジの締め具合などを気にすることなくフィルタ部材６を取り付けることができ、作業効率が向上できる。
【００３１】
また、２ｂは空気吸込口２の周縁部２ａの一部を切り欠いて形成した係止孔であり、係止孔２ｂは、フィルタ部材６を枠体１の背面に取り付けたときに、フィルタ部材６の突起６ｃを挟んで係合部６ａとは反対側に位置し、係止孔２ｂの下部が凹部６ｂの一部と重なるように構成している。
この構成では、室温検出手段９のリード線９ａを空気吸込口２の係止孔２ｂとフィルタ部材６の係合部６ａに装着してから、フィルタ部材６を枠体１の背面に取り付けるようにする。そうすると、９０度曲げされたリード線９ａは係合部６ａと係止孔２ｂとの間に位置して、必ず凹部６ｂ内に収まるものとなるから、突起６ｃと枠体１の背面とで挟持されてリード線９ａが確実に固定できるものとなる。
【００３２】
また、６ｅはフィルタ部材６の係合部６ａと開口周縁部６ｄとの間に設けた透孔６ｅであり、透孔６ｅは凹部６ｂの上部に沿って形成されており、フィルタ部材６を枠体１の背面に取り付けたときに空気吸込口２の係止孔２ｂの上部が透孔６ｅに対向し、係止孔２ｂの下部は透孔６ｅの下方に位置する凹部６ｂと対向しており、リード線９ａは係止孔２ｂの下部から枠体１内に配線されている。このため、透孔６ｅからは係止孔２ｂを見ることができ、係止孔２ｂからは枠体１内のリード線９ａを見ることができるものとなり、リード線９ａの位置を確認しながら、フィルタ部材６を枠体１の背面に取り付けることができ、フィルタ部材６を枠体１背面に取り付けた後も透孔６ｅからリード線９ａの取り付け状態を確認することができるので、フィルタ部材６の取り付け時にリード線９ａを誤って断線させる恐れはなく、作業効率が向上できるものとなった。
【００３３】
なお、実施例では空気吸込口２に取り付けるフィルタ部材６に室温検出手段９を装着しているが、燃焼ファン１１の燃焼空気取入口１２に取り付けるフィルタ部材に室温検出手段９を装着する構成としてもよいものである。
【符号の説明】
【００３４】
１    枠体
２    空気吸込口
２ａ  周縁部
２ｂ  係止孔
３    温風吹出口
４    空気流路
５    送風ファン
６    フィルタ部材
６ａ  係合部
６ｂ  凹部
６ｃ  突起
６ｄ  開口周縁部
６ｅ  透孔
７    バーナ
８    燃焼室
９    室温検出手段
９ａ  リード線
１０    間隔
【図１】
2012032095.tif 000003
【図２】
2012032095.tif 000004
【図３】
2012032095.tif 000005
【図４】
2012032095.tif 000006